(57)【要約】【課題】  防雪・日除けの利用形態のみに限らず、新たな利用形態を提案することができる屋根装置を提供する。【解決手段】  屋根装置１２は、室外機１１に固定される固定具１３と、該固定具１３に取着される支持具１４と、該支持具１４によって前記室外機１１の上方に支持される屋根板１５とを備える。前記固定具１３には前記屋根板１５を傾斜した状態に支持するための第１支持孔１９及び第２支持孔２０と、前記屋根板１５を平行な状態に支持するための第１支持孔１９及び第３支持孔２１とが設けられている。前記支持具１４には、前記固定具１３に該支持具１４を取着するための第１取着部２８及び第２取着部２９が設けられている。【選択図】      図１
2006145091.tif 000002
【特許請求の範囲】
【請求項１】
空気調和機用室外機に固定される固定具と、該固定具に取着される支持具と、該支持具によって前記室外機の上方に支持される屋根板とを備える屋根装置であって、
前記固定具及び支持具の一方には、前記室外機の上方において前記屋根板を傾斜した状態に支持するための傾斜支持部と、前記室外機の上方において前記屋根板を平行な状態に支持するための平行支持部とを設け、
前記固定具及び支持具の他方には、前記固定具に前記支持具を取着するための取着部を、前記室外機の上方において前記屋根板を傾斜した状態に支持する場合は前記傾斜支持部と対応した位置関係となり、前記室外機の上方において前記屋根板を平行な状態に支持する場合は前記平行支持部と対応した位置関係となるように設けた屋根装置。
【請求項２】
前記固定具及び支持具には、前記室外機の上方において前記屋根板を傾斜した状態と平行な状態との間で変位させる際に、前記支持具を固定具に対して水平方向に沿う軸線回りで回動させるための回動支点部を設けた請求項１に記載の屋根装置。
【請求項３】
前記傾斜支持部及び前記平行支持部を、前記屋根板が傾斜した状態にある場合に前記回動支点部よりも該屋根板の軒先寄りとなる位置に設けた請求項２に記載の屋根装置。
【請求項４】
前記傾斜支持部及び前記平行支持部は、前記回動支点部を中心とする同一円弧線上に位置する請求項２又は請求項３に記載の屋根装置。
【請求項５】
前記傾斜支持部は、前記回動支点部を中心とする同一円弧線上の複数位置に設けられている請求項４に記載の屋根装置。
【発明の詳細な説明】
【技術分野】
【０００１】
本発明は、空気調和機用室外機に取付けられて、該室外機の防雪・日除けに使用される屋根装置に関するものである。
【背景技術】
【０００２】
一般に、この種の屋根装置は、空気調和機用室外機に固定される固定具と、この固定具に取着される支持具と、この支持具によって前記室外機の上方に支持される屋根板とを備えている。そして、屋根板が室外機の天板に対して傾斜した状態で固定支持されることにより、屋根装置は、室外機の防雪・日除けを行うように構成されている。従来、このような屋根装置として、例えば特許文献１に記載の日除け屋根のように、室外機の天板に対する屋根板の傾斜角度、つまりは屋根板（屋根）の取付角度を可変可能に構成したものが提案されている。
【０００３】
この特許文献１に記載の日除け屋根において、室外機の天板上に固定される固定具（特許文献１では支持具と記載されている）には、傾斜支持部として支点固定用穴と、複数の調整固定穴とが設けられている。一方、屋根板の裏面側に装着されて該屋根板を支持する支持具（特許文献１では屋根固定具と記載されている）には、取着部として支点固定用下穴と、調整固定用下穴とが設けられている。屋根板側の支持具は、その支点固定用下穴を介して室外機側の固定具の支点固定用穴にねじ又はボルトで螺着されることにより、固定具に対して回動可能となっている。そして、支点固定用下穴及び支点固定用穴を角度調整の回動支点部として前記支持具を回動させ、調整固定用下穴を何れかの調整固定穴に位置合わせしてねじ又はボルトで固定することにより、屋根板（屋根）の取付角度を可変させるようになっている。
【特許文献１】特開平１１−１５９８０９号公報（段落番号［００１２］，［００１３］、図４，図５）
【発明の開示】
【発明が解決しようとする課題】
【０００４】
ところで、上記特許文献１に記載の日除け屋根は、落葉の量、積雪量等に応じて屋根板の取付角度を適宜可変させることにより、該屋根板に対する落葉等の付着量の軽減、積雪量の軽減等を図るものとされている。しかし、屋根板の取付角度をいくら可変しようとも、該屋根板は前記室外機の天板に対して傾斜した状態のままであることに変わりはない。従って、傾斜した状態のままの屋根板（屋根）では、室外機の防雪・日除け以外の機能を奏し得ず、従来の屋根装置では、防雪・日除けという利用形態以外に何ら目新しい用途を見出せない構成となっていた。
【０００５】
本発明は、上記事情に鑑みてなされたものであり、その目的とするところは、防雪・日除けの利用形態のみに限らず、新たな利用形態を提案することができる屋根装置を提供することにある。
【課題を解決するための手段】
【０００６】
上記の目的を達成するために、屋根装置に係る請求項１に記載の発明は、空気調和機用室外機に固定される固定具と、該固定具に取着される支持具と、該支持具によって前記室外機の上方に支持される屋根板とを備える屋根装置であって、前記固定具及び支持具の一方には、前記室外機の上方において前記屋根板を傾斜した状態に支持するための傾斜支持部と、前記室外機の上方において前記屋根板を平行な状態に支持するための平行支持部とを設け、前記固定具及び支持具の他方には、前記固定具に前記支持具を取着するための取着部を、前記室外機の上方において前記屋根板を傾斜した状態に支持する場合は前記傾斜支持部と対応した位置関係となり、前記室外機の上方において前記屋根板を平行な状態に支持する場合は前記平行支持部と対応した位置関係となるように設けたことを要旨とする。
【０００７】
上記請求項１に記載の発明によれば、固定具及び支持具の一方に平行支持部を設けたことにより、該平行支持部に対して固定具及び支持具の他方に設けた取着部を対応させれば、屋根板を室外機の上方において該室外機の天板と平行な状態、すなわち略水平の状態とすることができるようになる。その結果、例えば屋根板上にプランターを載置してガーデニングを行ったり、屋根板を物置台として利用したりする等、防雪・日除け以外の新たな利用形態を奏し得る。
【０００８】
請求項２に記載の発明は、請求項１に記載の屋根装置において、前記固定具及び支持具には、前記室外機の上方において前記屋根板を傾斜した状態と平行な状態との間で変位させる際に、前記支持具を固定具に対して水平方向に沿う軸線回りで回動させるための回動支点部を設けたことを要旨とする。そのため、請求項２に記載の発明によれば、固定具及び支持具に回動支点部を設けたことにより、支持具を固定具から脱着したり等せずとも、屋根板の角度を簡易に変化させることができる。
【０００９】
請求項３に記載の発明は、請求項２に記載の屋根装置において、前記傾斜支持部及び前記平行支持部を、前記屋根板が傾斜した状態にある場合に前記回動支点部よりも該屋根板の軒先寄りとなる位置に設けたことを要旨とする。そのため、請求項３に記載の発明によれば、屋根板の傾斜角度を変化させる場合に、該屋根板が家屋等といった建築物の壁面に接触することを抑制することができる。
【００１０】
請求項４に記載の発明は、請求項２又は請求項３に記載の屋根装置において、前記傾斜支持部及び前記平行支持部は、前記回動支点部を中心とする同一円弧線上に位置することを要旨とする。そのため、請求項４に記載の発明によれば、一つの取着部が傾斜支持部及び平行支持部の双方と位置的に対応する簡単な構成を実現できる。
【００１１】
請求項５に記載の発明は、請求項４に記載の屋根装置において、前記傾斜支持部は、前記回動支点部を中心とする同一円弧線上の複数位置に設けられていることを要旨とする。そのため、請求項５に記載の発明によれば、室外機の上方において屋根板の傾斜角度を多段階に設定できるようになる。
【発明の効果】
【００１２】
本発明によれば、防雪・日除けの利用形態のみに限らず、新たな利用形態を提案することができる。
【発明を実施するための最良の形態】
【００１３】
以下、本発明を、空気調和機用室外機（以下、「室外機」と略称する。）における防雪・日除け屋根として使用される屋根装置に具体化した一実施形態について図１〜図４を参照しながら説明する。なお、以下の説明において、「左右方向」をいう場合は室外機を正面視した状態における左右方向をいうものとし、「前後方向」をいう場合は室外機の正面側を前方、室外機の背面側を後方とした前後方向をいうものとする。
【００１４】
図１（ａ），（ｂ）に示すように、家屋等といった建築物１０（２点鎖線で図示）において、室外機１１（２点鎖線で図示）は、該建築物１０の屋外で外壁面１０ａから間隔をおくようにして設置されている。この室外機１１の上部には、該室外機１１への積雪、直射日光の照射等を避けるべく、屋根装置１２が装着されている。この屋根装置１２は、室外機１１の上部左右両側にそれぞれ固定された一対の固定具１３と、各固定具１３にそれぞれ取着された一対の支持具１４と、これら支持具１４によって室外機１１の上方に支持された平板状をなす屋根板１５とを備えている。
【００１５】
以下、前記固定具１３及び前記支持具１４について説明する。なお、左右各一対の固定具１３及び支持具１４は、左右で対称形をなしている。したがって、以下の説明では、特に断らない限り、右側の固定具１３及び支持具１４を挙げて説明するものとする。
【００１６】
まず、前記固定具１３について説明する。図２（ａ），（ｂ）に示すように、固定具１３は、該固定具１３を前記室外機１１に固定するための固定部１６と、前記支持具１４が取り付けられる取付部１７とを備えている。固定具１３における固定部１６は、金属板を断面横Ｌ字状に折曲して形成されている。この固定部１６の下方へ垂れ下がった側壁１６ａには、長孔からなる固定孔１８が複数透設されている。そして、固定具１３は、その固定部１６を前記室外機１１の上面１１ａ及び側面１１ｂに該室外機１１の上部右角部で当接させた状態とし、何れかの固定孔１８を介してねじ部材（図示略）が前記室外機１１の側面１１ｂに形成されたねじ孔（図示略）に螺合されることにより、前記室外機１１に固定されるように構成されている。
【００１７】
一方、固定具１３における取付部１７は、前記固定部１６の上部右側縁から上方へ固定部１６の側壁１６ａと同一平面を形成するように延設されており、板状に形成されている。取付部１７の後部側には、固定具１３に前記支持具１４を取着して支持する際の支持部となる第１支持孔１９が穿設されると共に、取付部１７の前部側における下方位置及び上方位置には、固定具１３に前記支持具１４を取着して支持する際の支持部となる第２支持孔２０及び第３支持孔２１が穿設されている。下方位置側の第２支持孔２０は、図２（ｂ）中の上下方向で第１支持孔１９と略同じ高さに配置されている。これに対し、第３支持孔２１は、図２（ｂ）中の上下方向で第１支持孔１９よりも上方に配置されている。また、これら第２支持孔２０及び第３支持孔２１は、第１支持孔１９を中心とする同一円弧線Ｐ（図４（ｂ）中に２点鎖線で示す）上に位置している。そして、固定具１３は、前記支持具１４を取着した場合、その取付部１７の第１支持孔１９と、第２支持孔２０又は第３支持孔２１の何れか一方との２箇所で前記支持具１４を取着して支持するように構成されている。
【００１８】
次に、前記支持具１４について説明する。図３（ａ），（ｂ）に示すように、支持具１４は、前記固定具１３の前記取付部１７に取り付けられる被取付部２２と、前記屋根板１５を装着するための装着部２３とを備えている。支持具１４における被取付部２２は、該被取付部２２の下部を構成する第１支持板２４と、第１支持板２４の前端から上方へ延びる第２支持板２５と、第１支持板２４の後端から上方へ延びる第３支持板２６とを有している。この被取付部２２において、前端側の第２支持板２５は、後端側の第３支持板２６よりもその長さが短くなるように形成されている。
【００１９】
一方、支持具１４における装着部２３は、長板状に形成されており、第２支持板２５の上端と第３支持板２６の上端との間を架け渡すようにして、被取付部２２の上部に設けられている。この装着部２３は、第２支持板２５と第３支持板２６の長さが異なることに基づき、第１支持板２４を水平に配置した場合に、前斜め下方へ傾斜するように設けられている。また、装着部２３の前部と後部には、それぞれ装着孔２７が穿設されている。前記屋根板１５は、これらの装着孔２７を介してねじ部材（図示略）により支持具１４の装着部２３にねじ止め装着されるように構成されている。
【００２０】
前記支持具１４の被取付部２２において、第１支持板２４の上面側後端部には、Ｃ管状をなす第１取着部２８が突設されている。また、第２支持板２５の後面側下端部には、Ｃ管状をなす第２取着部２９が突設されている。第１取着部２８と第２取着部２９とは、第１支持板２４を水平に配置した場合に、前記第１取着部２８及び第２取着部２９が共に略同一高さとなる位置に設けられている。そして、本実施形態では、これら第１取着部２８及び第２取着部２９により、支持具１４を前記固定具１３に取着するための取着部が構成されている。
【００２１】
即ち、第１取着部２８は、前記固定具１３における取付部１７の第１支持孔１９と対応する位置関係となるように設けられている。また、第２取着部２９は、前記固定具１３における取付部１７の第２支持孔２０及び第３支持孔２１の双方と対応可能な位置関係となるように設けられている。そして、支持具１４を前記固定具１３に取着する場合、第１取着部２８は、前記第１支持孔１９に位置合わせされた状態で、該第１支持孔１９を介してねじ部材（図示略）が螺入されることにより、該第１支持孔１９に取着されて支持されるように構成されている。また、第２取着部２９は、前記第２支持孔２０又は前記第３支持孔２１に位置合わせされた状態で、該第２支持孔２０又は第３支持孔２１を介してねじ部材（図示略）が螺入されることにより、該第２支持孔２０又は該第３支持孔２１の何れか一方に取着されて支持されるように構成されている。
【００２２】
次に、前記固定具１３に対する前記支持具１４の取着態様について説明する。
固定具１３に支持具１４を取着する場合、支持具１４における被取付部２２の第１取着部２８は固定具１３における取付部１７の第１支持孔１９に取着支持される。また、この場合、支持具１４における被取付部２２の第２取着部２９は固定具１３における取付部１７の第２支持孔２０又は第３支持孔２１の何れか一方に取着支持されることとなる。すなわち、支持具１４側の第１取着部２８は常に固定具１３側の第１支持孔１９に位置合わせされて取着されるが、支持具１４側の第２取着部２９は固定具１３側の第２支持孔２０に位置合わせされて取着支持される場合と第３支持孔２１に位置合わせされて取着支持される場合とがある。
【００２３】
まず、図２（ａ），（ｂ）に示すように、支持具１４側の第２取着部２９が固定具１３側の第２支持孔２０に位置合わせされて取着支持された場合、第２支持孔２０は第１支持孔１９と略同じ高さに位置していることから、支持具１４の第１支持板２４は、水平に延びて室外機１１の上面１１ａに対して平行な状態に支持される。そして、この場合、支持具１４の装着部２３は、第１支持板２４に対して前斜め下方へ傾斜しているため、装着部２３に装着された前記屋根板１５は、室外機１１の上面１１ａに対して前斜め下方へ傾斜した状態とされる。したがって、本実施形態では、固定具１３に支持具１４を取着するための支持部（第１支持孔１９，第２支持孔２０，第３支持孔２１）のうち、このように屋根板１５を傾斜した状態で支持可能とする第２支持孔２０により、室外機１１の上面１１ａに対して屋根板１５を傾斜した状態に支持するための傾斜支持部が構成されている。
【００２４】
一方、図１（ａ），（ｂ）に示すように、支持具１４側の第２取着部２９が固定具１３側の第３支持孔２１に位置合わせされて取着された場合、第３支持孔２１は第１支持孔１９よりも上方に位置していることから、支持具１４の第１支持板２４は、室外機１１の上面１１ａに対して前斜め上方へ傾斜した状態に支持される。そして、この場合、支持具１４の装着部２３は、室外機１１の上面１１ａに対して平行な状態に支持されることになるため、装着部２３に装着された前記屋根板１５は、室外機１１の上面１１ａに対して平行な水平状態とされる。したがって、本実施形態では、固定具１３に支持具１４を取着するための支持部（第１支持孔１９，第２支持孔２０，第３支持孔２１）のうち、このように屋根板１５を水平状態で支持可能とする第３支持孔２１により、室外機１１の上面１１ａに対して屋根板１５を平行な状態に支持するための平行支持部が構成されている。
【００２５】
また、第１取着部２８を第１支持孔１９に位置合わせして取着させた状態を維持することにより、支持具１４は、固定具１３に対し、水平方向に沿う軸線回りで回動自在な構成とされている。また、第２支持孔２０及び第３支持孔２１は、第１支持孔１９を中心とする同一円弧線Ｐ上に位置している。そのため、前記第１支持孔１９（及び第１取着部２８）を支点として支持具１４を固定具１３に対して回動させることにより、前記屋根板１５は室外機１１の上面１１ａに対して傾斜した状態と平行な状態との間で変位可能な構成とされる。したがって、本実施形態では、このように屋根板１５を傾斜した状態と平行な状態との間で変位させる場合の回動支点となる第１支持孔１９により、支持具１４を固定具１３に対して回動させるための回動支点部が構成されている。
【００２６】
なお、第２支持孔２０及び第３支持孔２１は、第１支持孔１９よりも前方寄り、つまり前記屋根板１５が傾斜した状態にある場合に該屋根板１５の軒先寄りとなる側に配置されている。そして、第１支持孔１９から屋根板１５の後端までの距離は、屋根板１５の前端までの距離に比べて短くなっている。このため、第１支持孔１９を回動支点部として屋根板１５を傾斜した状態と平行な状態との間で変位させる場合、屋根板１５の後端の回動半径は、屋根板１５の前端の回動半径に比べて短くなっている。
【００２７】
次に、前記屋根装置１２の作用について以下に記載する。
さて、本実施形態の屋根装置１２は、屋根板１５を室外機１１の防雪・日除けとして利用する第１の利用形態と、屋根板１５を載置台として利用する第２の利用形態とを享受可能とされている。
【００２８】
例えば、冬季の降雪時、或いは夏季の猛暑時等には屋根装置１２が第１の利用形態とされる。さて、屋根装置１２を第１の利用形態とするときには、支持具１４に設けられた取着部である第１取着部２８及び第２取着部２９を、固定具１３に設けられた傾斜支持部である第１支持孔１９及び第２支持孔２０にそれぞれ位置合わせし、その位置合わせ状態においてねじ部材（図示略）を用いて取着支持する。すると、屋根板１５は、図１（ａ），（ｂ）に示すように、室外機１１の上面１１ａに対して傾斜した状態となる。室外機１１の上面１１ａに対して傾斜した状態とされた屋根板１５は、該室外機１１の上部を外部から覆い隠すことにより、防雪・日除け機能を発揮する。
【００２９】
一方、例えば、春季或いは秋季には屋根装置１２が第２の利用形態とされる。さて、屋根装置１２を第１の利用形態から第２の利用形態とするときには、まず第２支持孔２０に対する第２取着部２９の取着状態を解除する（すなわち、ねじ部材を取り外す）。その後、第１支持孔１９を回動支点とし、固定具１３に対して支持具１４を回動させる（具体的には、図１（ｂ）において時計方向に回動させる）。そして、第２取着部２９が第２支持孔２０に対する位置合わせ位置から第３支持孔２１に対する位置合わせ位置まで回動されたとき、該第３支持孔２１に第２取着部２９を前記ねじ部材を用いて取着支持する。すると、屋根板１５は、図４（ａ），（ｂ）に示すように、室外機１１の上面１１ａに対して平行な状態、つまりは水平な状態となる。その結果、水平な状態とされた屋根板１５は、その上面に種々の物品を載置するための載置台として利用することが可能となる。そして、この載置台に載置する物品を使用者が所望に応じて使い分けることにより、さらなる利用形態を奏し得る。例えば、図４（ａ）においては、載置台とした屋根板１５上にプランター３０、鉢植え３１を載せることで屋根装置１２を、所謂ガーデニングに利用できるようになる。
【００３０】
なお、第２の利用形態から第１の利用形態とするときには、第３支持孔２１に対する第２取着部２９の取着状態を解除し、固定具１３に対して支持具１４を回動させ（具体的には、図４（ｂ）において反時計方向に回動させ）、第２取着部２９を第２支持孔２０に位置合わせし、その位置合わせ状態にて取着することにより行われる。
【００３１】
前記の実施形態によって発揮される効果について、以下に記載する。
（１）実施形態の屋根装置１２は、支持具１４の第２取着部２９を固定具１３の第２支持孔２０又は第３支持孔２１に付け替えて取着させることにより、屋根板１５を傾斜した状態として防雪・日除けに利用する形態と、屋根板１５を水平な状態として載置台に利用する形態とを取り得る。このため、屋根板１５上にプランター３０、鉢植え３１を載せてガーデニングを行う等、防雪・日除け以外の新たな利用形態を奏し得ることができる。
【００３２】
（２）また、第１支持孔１９を回動支点部として、支持具１４を固定具１３に対して回動させることにより、支持具１４を固定具１３から脱着したり等せずとも、屋根板１５を傾斜した状態と水平な状態との間で簡易に変位させることができる。
【００３３】
（３）また、第２支持孔２０及び第３支持孔２１を第１支持孔１９よりも屋根板１５の軒先（前端）寄りに配置したため、第１支持孔１９を回動支点部とする屋根板１５の後端の回動半径は、屋根板１５の前端の回動半径に比べて短くなっている。このため、屋根板１５を変位させるときに、屋根板１５の後端が建築物１０の外壁面１０ａに接触することを抑制することができる。
【００３４】
（４）また、第２支持孔２０及び第３支持孔２１は、第１支持孔１９を中心とする同一円弧線Ｐ上に位置しているため、支持具１４を固定具１３に対して回動させた場合に、第２取着部２９が第２支持孔２０及び第３支持孔２１の双方と位置的に対応する簡単な位置合わせ構成を実現することができる。
【００３５】
なお、本実施形態は、次のような別の実施形態（別例）に変更してもよい。
・  図５（ａ）に示すように、固定具１３の取付部１７には、第２支持孔２０と第３支持孔２１との間に第４支持孔３２を設けてもよい。この第４支持孔３２は、第２支持孔２０及び第３支持孔２１と共に、第１支持孔１９を中心とする同一円弧線（図５（ａ）では図示略）上に設けられている。この第４支持孔３２に支持具１４側の第２取着部２９（図５（ａ）では図示略）が取着支持された場合、前記屋根板１５は、前記第２支持孔２０に第２取着部２９が位置合わせされて傾斜した状態（図１（ｂ）の状態）と比較し、若干緩く傾斜した状態となる。この状態で、第４支持孔３２は屋根板１５を傾斜した状態に支持するための傾斜支持部を構成することになる。このように構成した場合、上記（１）〜（４）に記載の効果に加え、第２支持孔２０及び第３支持孔２１に加え、第４支持孔３２に支持具１４側の第２取着部２９を選択的に位置合わせして取着支持させることにより、屋根板１５の傾斜角度を多段階に設定することができる。
【００３６】
・  図５（ｂ）に示すように、支持具１４は、第２支持板２５と第３支持板２６が同一の長さとされて、装着部２３が第１支持板２４と平行に延びるように形成してもよい。また、第３支持孔２１を省略し、第１支持孔１９の上方に第５支持孔３３及び第６支持孔３４を設けてもよい。すなわち、第５支持孔３３及び第６支持孔３４を、第１支持孔１９と共に、第２支持孔２０を中心とする同一円弧線（図５（ｂ）では図示略）上に位置するように設ける。そして、第２支持孔２０を回動支点部として、固定具１３に対して支持具１４を回動させてもよい。なお、その場合は、第５支持孔３３及び第６支持孔３４が、屋根板１５を傾斜した状態で支持するための傾斜支持部を構成することになり、第１支持孔１９が屋根板１５を室外機１１の上面１１ａに対して平行な状態で支持するための平行支持部を構成することになる。このように構成した場合も、上記（１）〜（４）に記載の効果に加え、第５支持孔３３及び第６支持孔３４に支持具１４側の第１取着部２８を選択的に位置合わせして取着支持させることにより、屋根板１５の傾斜角度を多段階に設定することができる。
【００３７】
・  また、上記図５（ａ）（ｂ）以外に、固定具１３に支持具１４を取着支持するための支持部として、固定具１３の取付部１７に多数の支持孔を穿設し、それら多数の支持孔のうち何れか２つを選択して支持具１４側の第１取着部２８及び第２取着部２９を位置合わせすることにより、屋根板１５を傾斜した状態又は平行な状態としてもよい。なお、この場合には、多数の支持孔のうち、何れか１つを回動支点として、固定具１３に対し支持具１４を回動させてもよく、また固定具１３から支持具１４を脱着し、支持孔を２つとも付け替えて屋根板１５を傾斜した状態又は平行な状態としてもよい。このように構成した場合にも、上記（１）に記載の効果を奏し得る。
【００３８】
・  図６（ａ）に示すように、固定具１３側の取付部１７の後部に第１取着孔３５を設けると共に前部に第２取着孔３６を取着部として設け、支持具１４側の第１支持板２４の上面側後端部に第１支持部３７を、また、第２支持板２５の後面側に下方から順番に第２支持部３８、第３支持部３９、第４支持部４０を支持部として設けてもよい。この場合、第２〜第４支持部３８〜４０は、第１支持部３７を中心とした同一円弧線上に配置される。そして、第１支持部３７を回動支点部として、第２〜第４支持部３８〜４０を第２取着孔３６に適宜付け替えて取着することにより、屋根板１５を傾斜した状態又は平行な状態としてもよい。なお、この場合、第２支持部３８が平行支持部を構成し、第３支持部３９及び第４支持部４０が傾斜支持部を構成する。このように構成した場合にも、上記（１）に記載の効果と、屋根板１５の傾斜角度を多段階に設定する効果を奏し得る。また、図６（ｂ）に示すように、前記第３支持部３９を省略し、屋根板１５の傾斜角度を多段階に設定する構成を省略してもよい。
【００３９】
・  前記支持具１４は、必ずしも被取付部２２を第１支持板２４、第２支持板２５及び第３支持板２６からなる枠状に形成する必要はなく、該被取付部２２を固定具１３側の取付部１７と同様の板状に形成してもよい。また、前記固定具１３は、必ずしも取付部１７を板状とする必要はなく、該取付部１７を枠状に形成してもよい。
【００４０】
・  屋根板１５を水平とした状態で、ガーデニング以外にも、物置台、飾り台、物干し台等に利用してもよい。
【図面の簡単な説明】
【００４１】
【図１】（ａ）は本実施形態の屋根装置の屋根板を傾斜した状態とした場合の斜視図、（ｂ）は本実施形態の屋根装置の屋根板を傾斜した状態とした場合の右側面図。
【図２】（ａ）は本実施形態の屋根装置の固定具を示す斜視図、（ｂ）は本実施形態の屋根装置の固定具を示す右側面図。
【図３】（ａ）は本実施形態の屋根装置の支持具を示す斜視図、（ｂ）は本実施形態の屋根装置の支持具を示す右側面図。
【図４】（ａ）は本実施形態の屋根装置の屋根板を平行な状態とした場合の斜視図、（ｂ）は本実施形態の屋根装置の屋根板を平行な状態とした場合の右側面図。
【図５】（ａ），（ｂ）は別例の屋根装置の固定具及び支持具を示す概略図。
【図６】（ａ），（ｂ）は他の別例の屋根装置の固定具及び支持具を示す概略図。
【符号の説明】
【００４２】
１１…室外機、１２…屋根装置、１３…固定具、１４…支持具、１５…屋根板、１９…回動支点部としての第１支持孔、２０…傾斜支持部としての第２支持孔、２１…平行支持部としての第３支持孔、２８…取着部としての第１取着部、２９…取着部としての第２取着部、３２…傾斜支持部としての第４支持孔、３３…傾斜支持部としての第５支持孔、３４…傾斜支持部としての第６支持孔、３５…取着部としての第１取着孔、３６…取着部としての第２取着孔、３７…回動支点部としての第１支持部、３８…平行支持部としての第２支持部、３９…傾斜支持部としての第３支持部、４０…傾斜支持部としての第４支持部。
【図１】
2006145091.tif 000003
【図２】
2006145091.tif 000004
【図３】
2006145091.tif 000005
【図４】
2006145091.tif 000006
【図５】
2006145091.tif 000007
【図６】
2006145091.tif 000008